(57)【要約】【課題】２つのオリフィスを備える防振装置において、キャビテーションの発生を抑制する。【解決手段】防振装置１は、筒状の第１取付部材１１および第２取付部材１２と、弾性体１３と、第１取付部材内の液室１４を主液室１５と副液室１６とに区画する仕切部材１７と、を備える。仕切部材には、主液室の隔壁の一部をなすメンブラン３１と、メンブランを挟んで主液室の反対側に位置しメンブランを隔壁の一部とする中間室３５と、が備えられる。仕切部材には、主液室と副液室とを連通する第１オリフィス２１と、中間室と副液室とを連通する第２オリフィス２２と、第１オリフィス２１および第２オリフィス２２それぞれの副液室側の開口をなす共通開口１６ａと、が形成されている。【選択図】図１
2018044650.tif 000002
【特許請求の範囲】
【請求項１】
振動発生部および振動受部のうちのいずれか一方に連結される筒状の第１取付部材、および他方に連結される第２取付部材と、
前記第１取付部材と前記第２取付部材とを連結した弾性体と、
前記第１取付部材内の液室を、前記弾性体を隔壁の一部とする主液室と副液室とに区画する仕切部材と、を備え、
前記仕切部材には、
前記主液室の隔壁の一部をなすメンブランと、
前記メンブランを挟んで前記主液室の反対側に位置し前記メンブランを隔壁の一部とする中間室と、が備えられるとともに、
前記主液室と前記副液室とを連通する第１オリフィスと、
前記中間室と前記副液室とを連通する第２オリフィスと、
前記第１オリフィスおよび前記第２オリフィスそれぞれの前記副液室側の開口をなす共通開口と、が形成されていることを特徴とする防振装置。
【請求項２】
前記第１オリフィスおよび前記第２オリフィスはそれぞれ、周方向に延びるとともに、前記第２オリフィスが前記第１オリフィスよりも径方向の内側に配設され、
前記共通開口は、前記仕切部材のうち、前記第２オリフィスの内面を画成する壁面に形成されていることを特徴とする、請求項１に記載の防振装置。
【請求項３】
前記仕切部材には、前記第１取付部材の軸方向に変形可能または変位可能に収容された可動部材を収容する収容室が設けられ、
前記収容室を画成する壁面には、前記収容室と前記副液室とを連通させる第１連通孔と、前記収容室と前記中間室とを連通させる第２連通孔と、が形成されていることを特徴とする、請求項１または２に記載の防振装置。
【請求項４】
前記仕切部材には、前記中間室と前記副液室とを連通する細孔が形成されていることを特徴とする、請求項１または２に記載の防振装置。
【発明の詳細な説明】
【技術分野】
【０００１】
本発明は、防振装置に関する。
【背景技術】
【０００２】
従来から、下記特許文献１に示されるような防振装置が知られている。この防振装置は、振動発生部および振動受部のうちのいずれか一方に連結される筒状の第１取付部材、および他方に連結される第２取付部材と、第１取付部材と第２取付部材とを連結した弾性体と、第１取付部材内の液室を、弾性体を隔壁の一部とする主液室と副液室とに区画する仕切部材と、を備えている。仕切部材には、主液室の隔壁の一部をなすメンブランと、メンブランを挟んで主液室の反対側に位置し、メンブランを隔壁の一部とする中間室と、が備えられるとともに、主液室と副液室とを連通する第１オリフィスと、中間室と副液室とを連通する第２オリフィスと、が形成されている。
この防振装置では、振動入力時に、両取付部材が弾性体を弾性変形させながら相対的に変位し、主液室の液圧を変動させて第１オリフィスおよび第２オリフィスに液体を流通させることで、振動を吸収および減衰している。
【先行技術文献】
【特許文献】
【０００３】
【特許文献１】特開平８−４８２３号公報
【発明の概要】
【発明が解決しようとする課題】
【０００４】
ところで、上記したような構成の防振装置では、第１オリフィスを通じて副液室から主液室へと流動する液体の流速若しくは流量が大きいことに起因するキャビテーションが発生するおそれがあった。
【０００５】
本発明はこのような事情を考慮してなされたもので、２つのオリフィスを備える防振装置において、キャビテーションの発生を抑制することを目的とする。
【課題を解決するための手段】
【０００６】
上記課題を解決するために、本発明の防振装置は、振動発生部および振動受部のうちのいずれか一方に連結される筒状の第１取付部材、および他方に連結される第２取付部材と、前記第１取付部材と前記第２取付部材とを連結した弾性体と、前記第１取付部材内の液室を、前記弾性体を隔壁の一部とする主液室と副液室とに区画する仕切部材と、を備え、前記仕切部材には、前記主液室の隔壁の一部をなすメンブランと、前記メンブランを挟んで前記主液室の反対側に位置し前記メンブランを隔壁の一部とする中間室と、が備えられるとともに、前記主液室と前記副液室とを連通する第１オリフィスと、前記中間室と前記副液室とを連通する第２オリフィスと、前記第１オリフィスおよび前記第２オリフィスそれぞれの前記副液室側の開口をなす共通開口と、が形成されていることを特徴とする。
【０００７】
本発明の防振装置によれば、第１オリフィスおよび第２オリフィスがそれぞれ、共通開口を通じて副液室に通じているため、防振装置に振幅が比較的大きく周波数が比較的小さい振動が入力されて主液室が負圧になった際に、共通開口を通過した副液室内の液体の流れが、第１オリフィスおよび第２オリフィスへと分岐する。さらに、第２オリフィスを介して副液室に連通する中間室は、メンブランによって主液室と隔てられている。
これにより、例えば第１オリフィスと第２オリフィスとが互いに異なる開口を通じて副液室に連通している場合と比較して、第１オリフィスを通じて主液室内に流入する液体の流速および流量が抑えられ、キャビテーションの発生を抑制することができる。
【０００８】
ここで、前記第１オリフィスおよび前記第２オリフィスはそれぞれ、周方向に延びるとともに、前記第２オリフィスが前記第１オリフィスよりも径方向の内側に配設され、前記共通開口は、前記仕切部材のうち、前記第２オリフィスの内面を画成する壁面に形成されていてもよい。
【０００９】
この場合、第１オリフィスよりも径方向の内側に配設された第２オリフィスの壁面に共通開口が形成されていることにより、副液室から共通開口を通じて流出する液体の流れを、第１オリフィス内を流動する流れおよび第２オリフィス内を流動する流れへと、より確実に分岐させることが可能となる。従って、主液室内に流入する液体の流速および流量をより確実に低減し、キャビテーションの発生を抑制することができる。
【００１０】
また、前記仕切部材には、前記第１取付部材の軸方向に変形可能または変位可能に収容された可動部材を収容する収容室が設けられ、前記収容室を画成する壁面には、前記収容室と前記副液室とを連通させる第１連通孔と、前記収容室と前記中間室とを連通させる第２連通孔と、が形成されていてもよい。
【００１１】
この場合、仕切部材に設けられた収容室の壁面に、収容室と副液室とを連通させる第１連通孔および収容室と中間室とを連通させる第２連通孔が形成されているため、防振装置に振動が入力されると、液体が各連通孔を通じて収容室に対して流入および流出しようとする。
ここで、収容室内には軸方向に変形可能または変位可能な可動部材が収容されているため、防振装置に入力される振動の振幅が比較的大きく周波数が比較的小さい場合には、収容室に流入した液体の流れの勢いが強いために可動部材が収容室の壁面に強く押し付けられて、第１連通孔または第２連通孔が閉塞されるため、収容室を通じた中間室と副液室との間の液体の往来を規制して防振装置全体の動的ばね定数を増加させることができる。これにより、振幅が大きい振動を効果的に減衰させることができる。
一方、防振装置に入力される振動の振幅が比較的小さく周波数が比較的大きい場合には、収容室に対して流入および流出する液体の流れの勢いが比較的弱くなるため、可動部材によって第１連通孔および第２連通孔が閉塞されず、液体が流動することで、収容室を通じた中間室と副液室との間の液体の往来を許容して防振装置全体の動的ばね定数を小さく抑えることができる。これにより、振幅が小さい振動を効果的に減衰させることができる。
以上のように、このような構成の防振装置によれば、振幅が大きい振動および振幅が小さい振動のいずれをも効果的に減衰させることができる。
【００１２】
また、前記仕切部材には、前記中間室と前記副液室とを連通する細孔が形成されていてもよい。
【００１３】
この場合、防振装置に入力される振動の振幅が比較的大きく周波数が比較的小さい場合には、仕切部材に形成された細孔を通して液体が流通しにくくなるため、中間室と副液室との間の液体の往来を抑制して防振装置全体の動的ばね定数を増加させることができる。
一方、防振装置に入力される振動の振幅が比較的小さく周波数が比較的大きい場合には、細孔を通して液体が比較的流通しやすくなるため、中間室と副液室との間の液体の往来が抑制されずに防振装置全体の動的ばね定数を小さく抑えることができる。
以上により、本発明の防振装置によれば、簡易な構成で、振幅が大きい振動および振幅が小さい振動のいずれをも効果的に減衰させることができる。
【発明の効果】
【００１４】
本発明によれば、２つのオリフィスを備える防振装置において、キャビテーションの発生を抑制することができる。
【図面の簡単な説明】
【００１５】
【図１】第１実施形態に係る防振装置の縦断面図である。
【図２】図１の防振装置のＡ−Ａ断面矢視図である。
【図３】第２実施形態に係る防振装置の縦断面図である。
【発明を実施するための形態】
【００１６】
（第１実施形態）
以下、第１実施形態に係る防振装置の構成を、図１〜図３を参照しながら説明する。
図１に示すように、防振装置１は、振動発生部および振動受部のうちのいずれか一方に連結される筒状の第１取付部材１１、および他方に連結される第２取付部材１２と、第１取付部材１１と第２取付部材１２とを連結した弾性体１３と、液体が封入される第１取付部材１１内の液室１４を、第１取付部材１１の中心軸線Ｏに沿う軸方向に沿って、弾性体１３を隔壁の一部とする主液室１５、および副液室１６に仕切る仕切部材１７と、を備えている。
【００１７】
この防振装置１が、例えば自動車のエンジンマウントとして使用される場合、第１取付部材１１が振動受部としての車体に連結され、第２取付部材１２が振動発生部としてのエンジンに連結される。これにより、エンジンの振動が車体に伝達することが抑えられる。
【００１８】
ここで、本実施形態では、仕切部材１７に対して前記軸方向に沿う主液室１５側を上側といい、副液室１６側を下側という。また、この防振装置１を前記軸方向から見た平面視において、中心軸線Ｏに直交する方向を径方向といい、中心軸線Ｏ回りに周回する方向を周方向という。
【００１９】
第１取付部材１１は、上側に位置する上筒部１１ａと、上筒部１１ａより内径および外径が小さく、かつ下側に位置する下筒部１１ｂと、上筒部１１ａと下筒部１１ｂとを連結し全周にわたって連続して延びる絞り部１１ｃと、を備えている。下筒部１１ｂの内周面は、被覆ゴムにより覆われている。被覆ゴムは、弾性体１３と一体に形成されている。
【００２０】
第２取付部材１２は、棒状に形成されるとともに、前記中心軸線Ｏと同軸に配設されている。第２取付部材１２は、第１取付部材１１の径方向内側に配置されている。第２取付部材１２における軸方向の中央部に、径方向外側に向けて突出するフランジ部１２ａが形成されている。第２取付部材１２の上端面に、軸方向下側に延びる雌ねじ部１２ｂが形成されている。第２取付部材１２のうち、フランジ部１２ａより下側に位置する部分には、下側に向かうに従い漸次縮径するテーパ部１２ｃが形成されている。フランジ部１２ａは、第１取付部材１１より上側に位置している。第２取付部材１２の下端部は、第１取付部材１１の上端開口縁より下側に位置している。
【００２１】
弾性体１３は、第１取付部材１１の上筒部１１ａと第２取付部材１２のテーパ部１２ｃとを連結している。弾性体１３の外周側は、第１取付部材１１のうち、上筒部１１ａおよび絞り部１１ｃの各内周面に一体に加硫接着されている。弾性体１３の内周側は、第２取付部材１２のテーパ部１２ｃにおける外周面に加硫接着されている。弾性体１３は、径方向の外側から内側に向かうに従い漸次上側に向けて延びている。弾性体１３により、第１取付部材１１の上端開口部が密閉されている。
弾性体１３は、第２取付部材１２のフランジ部１２ａの上面、下面、および外周面を一体に覆うストッパゴム３２と一体に形成されている。
【００２２】
第１取付部材１１の下端部内には、被覆ゴムを介して、筒状のダイヤフラムリング１８が液密に嵌合されている。ダイヤフラムリング１８の内周面に、ゴム材料などで弾性変形可能に形成されたダイヤフラム１９の外周部が加硫接着されている。ダイヤフラムリング１８は、第１取付部材１１の下端部が径方向の内側に向けて加締められることで、第１取付部材１１に固定されている。ダイヤフラム１９は、第１取付部材１１の下端開口部を密閉している。
ダイヤフラム１９および弾性体１３により、液体が封入される液室１４が第１取付部材１１内に画成されている。なお、液室１４に封入される液体としては、例えば水やエチレングリコールなどを用いることができる。
【００２３】
仕切部材１７は、偏平な円盤状に形成されている。仕切部材１７は、第１取付部材１１内に嵌合されるとともに、第１取付部材１１の絞り部１１ｃおよびダイヤフラムリング１８により軸方向で挟まれている。これにより、第１取付部材１１内の液室１４が、弾性体１３と仕切部材１７とにより画成された主液室１５と、ダイヤフラム１９と仕切部材１７とにより画成された副液室１６と、に区画されている。なお、ダイヤフラム１９は、副液室１６内への液体の流入および流出に伴い拡縮変形する。
【００２４】
仕切部材１７は、主液室１５の隔壁の一部をなすメンブラン３１と、メンブラン３１を囲繞する上側部材３４と、上側部材３４内に嵌合された下側部材３３と、上側部材３４にメンブラン３１を固定する環状の固定部材３８と、メンブラン３１を隔壁の一部とする中間室３５と、を備えている。
メンブラン３１は、ゴムなどの弾性部材によって円板状に形成されている。中間室３５は、メンブラン３１を挟んで主液室１５の反対側に位置している。本実施形態のメンブラン３１には、貫通孔が形成されていない。
【００２５】
上側部材３４は、メンブラン３１を囲繞する固定筒部３４ａと、固定筒部３４ａの下端開口縁から径方向内側に向けて突出する環状の固定フランジ３４ｂと、固定筒部３４ａの下端開口縁から径方向外側に向けて突出する環状の上側フランジ３４ｃと、固定筒部３４ａから下側に向けて延びる外筒部３４ｄと、外筒部３４ｄの下端開口縁から径方向外側に向けて突出する下側フランジ３４ｅと、を備えている。
上側フランジ３４ｃおよび下側フランジ３４ｅは、被覆ゴムを介して下筒部１１ｂ内に嵌合されている。
【００２６】
固定部材３８は、上側部材３４の固定筒部３４ａにおける上面に載置され、不図示のボルトなどによって上側部材３４に固定されている。これにより、メンブラン３１の外周縁部が、固定部材３８および上側部材３４によって軸方向で挟まれることで固定されている。このため、メンブラン３１は、主液室１５内への液体の流入および流出に伴い、外周縁部を固定端として弾性変形することができる。
【００２７】
下側部材３３は、上側部材３４の外筒部３４ｄ内に嵌合されている。下側部材３３は、環状の底板部３３ａと、底板部３３ａの内周縁から上側に向けて延びる内筒部３３ｂと、内筒部３３ｂの下端部を閉塞する第１閉塞部３３ｃと、内筒部３３ｂの上端開口縁から径方向外側に向けて延びる上板部３３ｄと、を備えている。
底板部３３ａの外周縁は、被覆ゴムを介して下筒部１１ｂ内に嵌合されている。底板部３３ａは、上側部材３４の下側フランジ３４ｅに当接若しくは近接している。内筒部３３ｂは、外筒部３４ｄの径方向内側に配設されている。第１閉塞部３３ｃは、底板部３３ａよりも上側に位置している。
【００２８】
ここで、本実施形態の仕切部材１７には、主液室１５と副液室１６とを連通する第１オリフィス２１と、中間室３５と副液室１６とを連通する第２オリフィス２２と、第１オリフィス２１および第２オリフィス２２それぞれの副液室１６側の開口をなす共通開口１６ａと、が形成されている。
第１オリフィス２１および第２オリフィス２２の流通抵抗は、互いに異なっている。第２オリフィス２２は、第１オリフィス２１よりも、流路長が短く流路断面積が大きくなっており、流通抵抗が小さい。第１オリフィス２１および第２オリフィス２２の流路長および流路断面積は、各オリフィスの共振周波数が予め決められた周波数となるようにチューニングされている。
なお、第１オリフィス２１および第２オリフィス２２の共振周波数は互いに同等であってもよい。
【００２９】
第１オリフィス２１は、上側部材３４の上側フランジ３４ｃ、外筒部３４ｄ、および下側フランジ３４ｅと、下筒部１１ｂの内周面の被覆ゴムと、により画成されている。図２に示すように、第１オリフィス２１および第２オリフィス２２はそれぞれ、周方向に延びている。第１オリフィス２１の一方の端部は、外筒部３４ｄに形成された第１開口２１ａを通じて、共通開口１６ａに連通している。第１オリフィス２１の他方の端部は、上側フランジ３４ｃに形成された不図示の主液室側開口を通じて、主液室１５に連通している。
第１オリフィス２１は軸方向に直交する横断面視においてＣ字状に形成されており、外筒部３４ｄから径方向外側に向けて突出する外側隔壁３４ｆによって、周方向の一部分が遮断されている。
【００３０】
第２オリフィス２２は第１オリフィス２１よりも径方向の内側に配設されている。第２オリフィス２２は、図１に示すように、下側部材３３の底板部３３ａ、内筒部３３ｂ、および上板部３３ｄと、上側部材３４の外筒部３４ｄと、により画成されている。図２に示すように、第２オリフィス２２の一方の端部は、内筒部３３ｂに形成された第２開口３５ａを通じて、中間室３５に連通している。第２オリフィス２２の他方の端部は、共通開口１６ａを通じて、副液室１６に連通している。
【００３１】
第２オリフィス２２は横断面視においてＣ字状に形成されており、内筒部３３ｂから径方向外側に向けて突出する内側隔壁３３ｆによって、周方向の一部分が遮断されている。内側隔壁３３ｆと外側隔壁３４ｆとは、周方向において同等の位置に形成されている。内側隔壁３３ｆの径方向外側の端面と、外側隔壁３４ｆの径方向内側の端面と、は径方向で当接若しくは近接している。
【００３２】
図１に示すように、中間室３５は、下側部材３３の内筒部３３ｂおよび第１閉塞部３３ｃと、メンブラン３１と、により画成されている。中間室３５に対する第２オリフィス２２および第２開口３５ａを通じた液体の流入および流出に伴って、メンブラン３１は外周縁を固定端として軸方向に変形する。
【００３３】
共通開口１６ａは、仕切部材１７のうち、第２オリフィス２２の内面を画成する底板部３３ａの壁面に形成されている。共通開口１６ａは、図２に示すように、内側隔壁３３ｆおよび第１開口２１ａに隣接する位置に配設されている。
【００３４】
次に、以上のように構成された防振装置１の作用について説明する。
【００３５】
防振装置１に軸方向の振動が入力され、第１取付部材１１と第２取付部材１２とが軸方向に相対的に変位すると、第１取付部材１１および第２取付部材１２を互いに連結する弾性体１３が弾性変形する。すると主液室１５の内容積が変化し、第１オリフィス２１および第２オリフィス２２を通して液体が往来し、各オリフィス内で液柱共振が生じて振動が減衰、吸収される。
例えば、軸方向の振幅が比較的小さく、周波数が比較的大きいアイドル振動が防振装置１に入力された場合は、メンブラン３１が弾性変形し、第２オリフィス２２を通じて副液室１６と中間室３５との間を液体が往来する。このとき、第２オリフィス２２内で液柱共振が生じて振動が減衰、吸収される。また、軸方向の振幅が比較的大きく、周波数が比較的小さいシェイク振動が防振装置１に入力された場合は、弾性体１３が弾性変形し、第１オリフィス２１を通じて主液室１５と副液室１６との間を液体が往来する。この時、第１オリフィス２１内で液柱共振が生じて振動が減衰、吸収される。
【００３６】
ここで、防振装置１に、シェイク振動よりも大きな振幅の振動が入力されると、第１取付部材１１が第２取付部材１２に対して大きく下側に変位した後、弾性体１３の弾性力などにより上側に復元変位する際、主液室１５内に大きな負圧が生じる。この負圧により、副液室１６内の液体が勢いよく共通開口１６ａから仕切部材１７内に流入する。このとき、図２に示すように、共通開口１６ａを通過した液体の流れは、第１開口２１ａを通過して第１オリフィス２１内を流動する流れＦ１と、第２オリフィス２２内を流動する流れＦ２と、に分岐する。さらに、第２オリフィス２２を介して副液室１６に連通する中間室３５は、メンブラン３１によって主液室１５と隔てられている。
【００３７】
これにより、本実施形態の防振装置１によれば、例えば第１オリフィス２１と第２オリフィスと２２とが互いに異なる開口を通じて副液室１６に連通している場合と比較して、第１オリフィス２１を通じて主液室１５内に流入する液体の流速および流量が抑えられ、キャビテーションの発生を抑制することができる。
【００３８】
さらに、第１オリフィス２１よりも径方向の内側に配設された第２オリフィス２２の壁面に共通開口１６ａが形成されていることにより、副液室１６から共通開口１６ａを通じて仕切部材１７に流入する液体の流れを、第１オリフィス２１内を流動する流れＦ１および第２オリフィス２２内を流動する流れＦ２へと、より確実に分岐させることが可能となる。従って、主液室１５内に流入する液体の流速および流量をより確実に低減し、キャビテーションの発生を抑制することができる。
【００３９】
（第２実施形態）
次に、本発明に係る第２実施形態について図３を用いて説明するが、第１実施形態と基本的な構成は同様である。このため、同様の構成には同一の符号を付してその説明は省略し、異なる点についてのみ説明する。
本実施形態の防振装置１０は、仕切部材１７内に設けられた収容室３７内に、軸方向に変形可能または変位可能に収容された可動部材３６を備えている点が、第１実施形態と異なる。
【００４０】
図３に示すように、本実施形態の仕切部材１７における下側部材３３には、内筒部３３ｂの軸方向中央部を閉塞する第２閉塞部３３ｅが、第１閉塞部３３ｃの上側に間隔を空けて形成されている。第１閉塞部３３ｃ、第２閉塞部３３ｅ、および内筒部３３ｂにより、先述の収容室３７が画成されている。また、本実施形態の中間室３５は、第２閉塞部３３ｅと、内筒部３３ｂと、メンブラン３１と、により画成されている。収容室３７は、第２閉塞部３３ｅを隔てて中間室３５の下側に配設されている。
【００４１】
なお、本実施形態の上側部材３４では、固定筒部３４ａが外筒部３４ｄの径方向外側に向けて延在しており、固定筒部３４ａの下面のうち外筒部３４ｄよりも径方向外側の部分が第１オリフィス２１を画成している。
固定部材３８および下側部材３３は、上側部材３４に対してボルトで固定されている。
【００４２】
また、本実施形態の第１閉塞部３３ｃには、これを軸方向に貫通する第１連通孔３７ｂが、径方向および周方向に間隔をあけて複数形成されている。複数の第１連通孔３７ｂは、収容室３７と副液室１６とを連通させている。第２閉塞部３３ｅには、これを軸方向に貫通する第２連通孔３７ａが、径方向および周方向に間隔をあけて複数形成されている。複数の第２連通孔３７ａは、収容室３７と中間室３５とを連通させている。複数の第１連通孔３７ｂおよび複数の第２連通孔３７ａは、収容室３７を画成する壁面に形成されている。
複数の第２連通孔３７ａと複数の第１連通孔３７ｂとは、径方向および周方において同等の位置に形成されている。複数の第２連通孔３７ａおよび複数の第１連通孔３７ｂそれぞれの流通抵抗は、第１オリフィス２１および第２オリフィス２２の流通抵抗より小さくなっている。
【００４３】
可動部材３６は、ゴムなどの弾性部材により円板状に形成されている。可動部材３６の外径は内筒部３３ｂの内径よりも小さく、可動部材３６の厚みは第１閉塞部３３ｃと第２閉塞部３３ｅとの間の軸方向の距離よりも小さい。このため、可動部材３６と収容室３７の内面との間には、径方向および軸方向の隙間が形成されている。
【００４４】
本実施形態の防振装置１０によれば、収容室３７の壁面に第１連通孔３７ｂおよび第２連通孔３７ａが形成されているため、防振装置１０に振動が入力されると、液体が各連通孔３７ａ、３７ｂを通じて収容室３７に対して流入および流出しようとする。
ここで、収容室３７内には軸方向に変形可能または変位可能な可動部材３６が収容されているため、振動の振幅が比較的大きく周波数が比較的小さい場合には、収容室３７に流入した液体の流れの勢いが強いために、可動部材３６が収容室３７の壁面に強く押し付けられる。これにより、第１連通孔３７ｂまたは第２連通孔３７ａが閉塞されるため、収容室３７を通じた中間室３５と副液室１６との間の液体の往来を規制して、防振装置１０全体の動的ばね定数を増加させることができる。したがって、大振幅の振動を効果的に減衰させることができる。
【００４５】
一方、振動の振幅が比較的小さく周波数が比較的大きいアイドル振動などが防振装置１０に入力された場合には、収容室３７に対して流入および流出する液体の流れの勢いが比較的弱くなるため、可動部材３６によって第１連通孔３７ｂおよび第２連通孔３７ａが閉塞されずこれらが解放されることで、収容室３７を通じた中間室３５と副液室１６との間の液体の往来を許容して、防振装置１０全体の動的ばね定数を小さく抑えることができる。これにより、小振幅の振動を効果的に減衰させることができる。
以上のように、本実施形態の防振装置１０によれば、振幅が大きい振動および振幅が小さい振動のいずれをも効果的に減衰させることができる。
【００４６】
なお、本発明の技術的範囲は前記実施の形態に限定されるものではなく、本発明の趣旨を逸脱しない範囲において種々の変更を加えることが可能である。
【００４７】
例えば、前記第１実施形態における仕切部材１７には、図１に示す第１閉塞部３３ｃを軸方向に貫通し、中間室３５と副液室１６とを連通する細孔が形成されていてもよい。この場合、防振装置１に入力される振動の振幅が比較的大きく周波数が比較的小さい場合には、細孔を通して液体が流通しにくくなるため、中間室３５と副液室１６との間の液体の往来を抑制して防振装置１全体の動的ばね定数を増加させることができる。一方、この防振装置１に入力される振動の振幅が比較的小さく周波数が比較的大きい場合には、細孔を通して液体が比較的流通しやすくなり、中間室３５と副液室１６との間の液体の往来が抑制されずに防振装置１全体の動的ばね定数を小さく抑えることができる。これにより、簡易な構成で、第２実施形態の防振装置１０と同様に、振幅が大きい振動および振幅が小さい振動のいずれをも効果的に減衰させることができる。
【００４８】
また、前記第２実施形態における可動部材３６の外周縁は、収容室３７に対して固定されていてもよい。この場合、可動部材３６が外周縁を固定端として軸方向に変形するため、防振装置１０に入力される振動に伴う可動部材３６の変形の状態を安定させることができる。また、可動部材３６には、これを軸方向に貫通する貫通孔が形成されていてもよい。
【００４９】
また、前記第１実施形態および第２実施形態において、共通開口１６ａは第１オリフィス２１の内面を画成する壁面に形成されていてもよい。
また、前記第１実施形態および第２実施形態において、仕切部材１７には２つのオリフィス２１，２２が形成されていたが、本発明はこれに限られず、３つ以上のオリフィスが形成された仕切部材１７が形成されていてもよい。この場合、仕切部材１７には、３つ以上のオリフィスのうち２つのオリフィスの副液室１６側の共通開口１６ａが形成されていてもよいし、３つ以上のオリフィスの副液室１６側の共通開口１６ａが形成されていてもよい。
【００５０】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００５１】
１、１０…防振装置  １１…第１取付部材  １２…第２取付部材  １３…弾性体  １４…液室  １５…主液室  １６…副液室  １６ａ…共通開口  １７…仕切部材  １９…ダイヤフラム  ２１…第１オリフィス  ２２…第２オリフィス  ３１…メンブラン  ３５…中間室  ３６…可動部材  ３７…収容室  ３７ａ…第２連通孔  ３７ｂ…第１連通孔
【図１】
2018044650.tif 000003
【図２】
2018044650.tif 000004
【図３】
2018044650.tif 000005